(57)【要約】【課題】対応不可能な通知によりユーザに煩わしさを与えてしまうことを防止しつつ、通知の内容を確実にユーザに伝えること。【解決手段】印刷装置100のＣＰＵ101は、エコレポート推奨通知時刻を経過、且つ、一定期間エコレポート未印刷の条件を判定し（図６のS603、S604、図７のS702、S703）、該条件を満たす場合に、印刷装置100が印刷可能な状態であるか判定し（S801）、印刷可能な状態であると判定した場合には、エコレポート印刷を促す画面を表示し（S803）、印刷不可能な状態であると判定した場合には、エコレポート印刷を促す画面を表示しないように制御する（S801〜S803）。【選択図】図８
2018192635.tif 000002
【特許請求の範囲】
【請求項１】
印刷装置であって、
所定のレポート印刷処理を行う処理手段と、
ユーザに前記レポート印刷処理の実行を促す通知を行う通知手段と、
所定の条件を満たすか否かを判定する第１判定手段と、
前記第１判定手段により前記条件を満たすと判定された場合に、前記印刷装置が印刷可能な状態であるか否かを判定する第２判定手段と、
前記第２判定手段により前記印刷装置が印刷可能な状態であると判定された場合には、前記通知を行い、前記印刷装置が印刷不可能な状態であると判定された場合には、前記通知を行わないように制御する制御手段と、
を有することを特徴とする印刷装置。
【請求項２】
前記通知は、表示部への表示を含むことを特徴とする請求項１に記載の印刷装置。
【請求項３】
前記第１判定手段は、ユーザが前記印刷装置の前にいると判断される場合に、前記所定の条件を満たしたか否かを判定することを特徴とする請求項１又は２に記載の印刷装置。
【請求項４】
前記ユーザが前記印刷装置の前にいると判断される場合は、前記印刷装置が起動した場合、前記印刷装置に対する操作により前記印刷装置が省電力状態から復帰した場合を含むことを特徴とする請求項３に記載の印刷装置。
【請求項５】
前記条件は、予め決められているタイミングに達していることを条件に含むことを特徴とする請求項１〜４のいずれか１項に記載の印刷装置。
【請求項６】
前記条件は、前記処理が実行されてから一定の時間が経過していることを条件に含むことを特徴とする請求項５に記載の印刷装置。
【請求項７】
所定のレポート印刷処理を行う処理手段と、ユーザに前記レポート印刷処理の実行を促す通知を行う通知手段と、を有する印刷装置の制御方法であって、
所定の条件を満たすか否かを判定する第１判定ステップと、
前記第１判定ステップで前記条件を満たすと判定された場合に、前記印刷装置が印刷可能な状態であるか否かを判定する第２判定ステップと、
前記第２判定ステップで前記印刷装置が印刷可能な状態であると判定された場合には、前記通知を行い、前記印刷装置が印刷不可能な状態であると判定された場合には、前記通知を行わないように制御する制御ステップと、
を有することを特徴とする印刷装置の制御方法。
【請求項８】
コンピュータを、請求項１〜６のいずれか１項に記載の第１判定手段、第２判定手段、及び制御手段として機能させるためのプログラム。
【発明の詳細な説明】
【技術分野】
【０００１】
本発明は、レポート出力を定期的にユーザに促す機能に関するものである。
【背景技術】
【０００２】
従来、印刷装置のレポート出力には、ユーザが必要な時に手動で出力操作を行う手動レポートと、通信ジョブ終了時や規定数の通信が終了する度に自動的に印刷を行う自動レポートが存在している。
【０００３】
特許文献１には、特定の状況が発生した際に、その状況をユーザに認知させるため、その状況を記録したレポートの出力をユーザに促す技術が提案されている。
また、レポート出力をユーザに促すメッセージを印刷装置に表示する際、該メッセージを表示し続けることがユーザの利用の妨げになる場合には、メッセージ表示を一定時間だけに限定し、一定時間経過後はメッセージを削除する装置も提案されている。
【先行技術文献】
【特許文献】
【０００４】
【特許文献１】特開２００４−３３８３０８号公報
【発明の概要】
【発明が解決しようとする課題】
【０００５】
しかし、レポート出力をユーザに促すメッセージを表示する装置では、表示している間に印刷装置がトナーアウト／紙無し等で印刷が実行できない状態であった場合、対応不可能なメッセージが操作部に表示されることになる。このような対応不可能なメッセージの表示は、ユーザにとって非常に煩わしいものとなる。なお、一定時間経過後（例えば１分間経過後）にそのメッセージを非表示にする構成の場合、一定時間経過すると上述のような煩わしさは解消されることになるが、一定時間経過後にメッセージが非表示になってしまうと、ユーザがレポートの確認を失念してしまう可能性がある。このような課題は、レポート印刷を促すメッセージの表示に限定されるものではなく、ユーザに何らかの処理を促す通知に共通のものである。
【０００６】
このように、従来の技術では、対応不可能な通知によりユーザに煩わしさを与えてしまうことの防止と、通知を確実にユーザに伝えることの双方を両立することが困難であった。
【０００７】
本発明は、上記の問題点を解決するためになされたものである。本発明の目的は、対応不可能な通知によりユーザに煩わしさを与えてしまうことを防止しつつ、通知の内容を確実にユーザに伝えることができる仕組みを提供することである。
【課題を解決するための手段】
【０００８】
本発明は、印刷装置であって、所定のレポート印刷処理を行う処理手段と、ユーザに前記レポート印刷処理の実行を促す通知を行う通知手段と、所定の条件を満たすか否かを判定する第１判定手段と、前記第１判定手段により前記条件を満たすと判定された場合に、前記印刷装置が印刷可能な状態であるか否かを判定する第２判定手段と、前記第２判定手段により前記印刷装置が印刷可能な状態であると判定された場合には、前記通知を行い、前記印刷装置が印刷不可能な状態であると判定された場合には、前記通知を行わないように制御する制御手段と、を有することを特徴とする。
【発明の効果】
【０００９】
本発明によれば、対応不可能な通知によりユーザに煩わしさを与えてしまうことを防止しつつ、通知の内容を確実にユーザに伝えることができる。
【図面の簡単な説明】
【００１０】
【図１】本実施例を示す印刷装置のハードウェア構成図
【図２】ＲＡＭ103に確保される情報の保存領域の構成を例示する図
【図３】本実施例で印刷するエコレポートの構成の一例を示す図
【図４】エコレポート印刷処理のフローチャート
【図５】エコレポートレイアウト作成処理のフローチャート
【図６】電源ＯＮ時のエコレポート推奨通知に関する処理のフローチャート
【図７】節電復帰時のエコレポート推奨通知に関する処理のフローチャート
【図８】エコレポート印刷を促す通知処理のフローチャート
【図９】操作パネルの構成を示す図である。
【図１０】エコレポート印刷を促す画面の一例を示す図
【図１１】エコレポート印刷を促す画面の他の例を説明する図
【発明を実施するための形態】
【００１１】
以下、本発明を実施するための形態について図面を用いて説明する。
図１は、本発明の一実施例を示す印刷装置のハードウェア構成の一例を示すブロック図である。
【００１２】
図１に示すように、印刷装置100は、ＣＰＵ101、ＲＯＭ102、ＲＡＭ103、操作パネル（ＰＡＮＥＬ）104、表示部（ＬＣＤ）105、画像処理部106、スキャナ部（ＳＣＡＮＮＥＲ）107、プリンタ部（ＰＲＩＮＴＥＲ）108を備えている。さらに、印刷装置100は、モデム（ＭＯＤＥＭ）109、有線ＬＡＮ通信部110、無線ＬＡＮ通信部111、ＵＳＢ112等を備えている。
【００１３】
ＣＰＵ101は、ＲＯＭ102に記憶されたファームウェアモジュールを実行することにより、システムバス（System BUS）113に接続される各デバイスを総括的に制御する。例えば、ファームウェアモジュールは、少なくとも２つ以上のモジュールから構成され、ファームウェアモジュールの更新は、それぞれのモジュールごとに行うことが可能である。
【００１４】
また、ＣＰＵ101は、制御プログラムとしてのファームウェアモジュールに基づき、後述する各フローチャートに示す処理を実行する。ＲＡＭ103は、ＣＰＵ101の主メモリ、ワークエリアとして機能するほか、装置設定を保存するためのバックアップ可能なメモリとして使用される。
【００１５】
操作パネル104は、ユーザからの指示が入力される操作部である。操作パネル104は、電源キー、テンキー、ワンタッチキー、スタートキー、ストップキー、セットキー、リセットキー、節電キー、各種設定キー、ＬＥＤ、表示部105、表示部105上に設けられるタッチパネル等を有する。ここで図９を用いて操作パネル104について説明する。
【００１６】
図９は、操作パネル104の構成を説明する図である。
本実施例の操作パネル104は、タッチパネル901に加え、リセットキー902、スタートキー903、ストップキー904、テンキー905、節電キー906、電源スイッチ907等の押下可能なハードウェアキー（物理ボタン）を備えている。
【００１７】
タッチパネル901は、表示部105に加えて、ユーザによるタッチ操作を検知する検知部として抵抗膜圧方式や静電容量方式のセンサ（不図示）を備える。表示部105は、ユーザに情報を表示する液晶画面（表示部）である。表示部105は、画面に情報を表示可能であればLiquid Crystal Display以外の装置を用いることができる。表示部105は、ＣＰＵ101の制御によって、ユーザに対してメッセージやオブジェクト（アイコン、ボタン）を表示することで、ユーザに対する通知やユーザによる指示操作を促す。例えば、タッチパネル901の液晶画面にはオブジェクト（アイコン、ボタン）が表示され、ユーザがこのオブジェクトの近傍に触れたことがセンサによって検知される。このときタッチパネル901は、ユーザがオブジェクト選択するためのタッチ操作を行ったと認識する。タッチパネル901は、タッチ操作に応じて画面を切り替えることで複数の画面を選択的に表示可能である。
【００１８】
リセットキー902は、指示・設定の取り消しや前の画面に戻るときに使うボタンである。スタートキー903はコピーやプリントの実行を決定するときに使うボタンである。ストップキー904は、出力中のプリントを中止するときに使うボタンである。テンキー905はパスワードや電話番号を入力するときにつかうボタンである。節電キー906は、印刷装置100の節電状態を切り替えるボタンである。節電キー906を押下すると、印刷装置100は、スタンバイ状態からスリープ状態に、あるいは、スリープ状態からスタンバイ状態に切り替わる。電源スイッチ907は、印刷装置100のＯＮ／ＯＦＦを切り替えるためのシーソースイッチである。電源スイッチ907をＯＮ位置に設定すると、印刷装置100に電力が供給される。電源スイッチ907をＯＦＦ位置に設定すると、印刷装置100への電力供給が停止され、印刷装置100はシャットダウン状態になる。
【００１９】
画像処理部106は、ＣＰＵ101の制御のもとで、外部から受信した印刷用データをデコードして生データに変換したり、後述のスキャナ部107で読み取った画像をＪＰＥＧデータに圧縮したりといった画像処理を実施する。
【００２０】
スキャナ部107は、原稿の画像を光学センサにより読み取る読取部である。スキャナ部107には、オプションとして不図示のオートドキュメントフィーダ（ＡＤＦ）が装着可能であり、ＡＤＦを利用して複数枚の原稿を自動的に読み取ることができる。
【００２１】
プリンタ部108は、例えば電子写真方式で記録紙に画像形成を行う印刷部である。プリンタ部108は、用紙残量検知部108a、トナー残量検知部108b、故障検知部108cを有する。用紙残量検知部108aは、用紙等の印刷媒体の残量を検知する。トナー残量検知部108bは、トナーやインク等の印刷剤の残量を検知する。故障検知部108cは、印刷機能の故障を検知する。ＣＰＵ101は、用紙残量検知部108a、トナー残量検知部108b、故障検知部108cによる検知結果に基づいて、用紙等の印刷媒体切れ、トナーやインク等の印刷剤切れ、印刷機能の故障等を検知し、印刷装置100が印刷可能な状態であるか否かを判定することができる。
【００２２】
モデム109は、公衆回線網114に接続されており、ファクシミリデータの通信のためのデータ変換機能を有する。有線ＬＡＮ通信部110は、ネットワーク網115に有線ＬＡＮを介して接続され、ネットワークインタフェースを制御し、ネットワーク上の他端末やサーバーとデータのやり取りができる。無線ＬＡＮ通信部111は、無線ＬＡＮ通信機能を有し、公衆もしくはローカルネットワークに接続されている無線ＬＡＮルータを介して、ネットワーク上の端末と無線ＬＡＮ通信が可能である。
【００２３】
ＵＳＢ112は、ＵＳＢデバイス機能を持っており、ＵＳＢケーブルを介して、パーソナルコンピュータ等の外部機器（ＰＣ）116と接続され、ＰＣ116の指示のもとにスキャンやプリントなどの機能指示を受けることができる。
【００２４】
ＣＰＵ101は、一定時間、印刷装置100の使用がない場合等には、通常電力状態よりも消費電力の小さい節電状態（省電力状態）に移行するように制御する。また、例えばＰＣからのプリントジョブ受信時、ＦＡＸ着信時、操作パネル104上に配置された節電キー（不図示）の押下時等に、印刷装置100は節電状態から通常電力状態に復帰するように構成されている。
【００２５】
また、ＣＰＵ101は、特定の状況が発生した際に、所定の通知を表示部105に表示するように制御する。該通知には、後述する図１０、図１１に示すようなエコレポート印刷を促す画面も含まれる。さらにＣＰＵ101は、一定時間経過後にその通知を非表示にするように構成してもよい。
【００２６】
図２は、ＲＡＭ103に確保される情報の保存領域の構成を例示する図である。
ＲＡＭ103には、印刷装置100の設定値を保存する領域が確保されている。該領域は、スタート時刻211、総印刷枚数212、総コピー枚数213、総ＰＣ記録枚数214、総ＦＡＸ記録枚数215等の各情報を保存する領域を有する。
【００２７】
スタート時刻211は、装置が製造者の工場を出荷後に初めてユーザ先で印刷を開始した日時情報を保存する。総印刷枚数212は、装置が印刷した総枚数を保存する領域であり、記録紙１枚を使用する度にＣＰＵ101によって更新される。総コピー枚数213は、装置がコピー印刷した総枚数を保存する領域であり、記録紙１枚を使用する度にＣＰＵ101によって更新される。総ＰＣ記録枚数214は、装置がＰＣからプリントした総枚数を保存する領域であり、記録紙１枚を使用する度にＣＰＵ101によって更新される。総ＦＡＸ記録枚数215は、装置がＦＡＸ文書を受信記録した総枚数を保存する領域であり、記録紙１枚を使用する度にＣＰＵ101によって更新される。
【００２８】
また、ＲＡＭ103には、印刷の種類ごとの枚数情報を保存する領域201〜203も確保されている。
領域201は、１ページの元データを記録紙の１面に記録する「1on1」での印刷の枚数情報を保存している。領域201は、片面コピー枚数221、両面コピー枚数222、片面ＰＣ記録枚数223、両面ＰＣ記録枚数224、片面ＦＡＸ記録枚数225、両面ＦＡＸ記録枚数226等の各枚数情報を保存する領域を有する。これらの領域に保存される各枚数情報は、「1on1」での印刷が実行されるたびに、ＣＰＵ101により更新される。
【００２９】
また、領域202は、２ページの元データを１面に記録する「2on1」での印刷の枚数情報を保存している。領域202は、片面コピー枚数231、両面コピー枚数232、片面ＰＣ記録枚数233、両面ＰＣ記録枚数234等の各枚数情報を保存する領域を有する。これらの領域に保存される各枚数情報は、「2on1」での印刷が実行されるたびに、ＣＰＵ101により更新される。
【００３０】
また、203は、４ページの元データを１面に記録する「4on1」での印刷の枚数情報を保存している。領域203は、片面コピー枚数241、両面コピー枚数242、片面ＰＣ記録枚数243、両面ＰＣ記録枚数244等の各枚数情報を保存する領域を有する。これらの領域に保存される各枚数情報は、「4on1」での印刷が実行されるたびに、ＣＰＵ101により更新される。
【００３１】
さらに、ＲＡＭ103には、総両面コピー枚数251、総両面ＰＣ記録枚数252、総両面ＦＡＸ記録枚数253、エコレポート推奨通知時刻261、エコレポート最終印刷日時262等の各情報を保存する領域が確保されている。
【００３２】
総両面コピー枚数251は、両面コピーの印刷枚数情報を保存している。総両面ＰＣ記録枚数252は、ＰＣからの両面プリントした印刷枚数情報を保存している。総両面ＦＡＸ記録枚数253は、受信したＦＡＸ文書を両面印刷した枚数情報を保存している。各領域251〜253に保存される各枚数情報は、それぞれ対応する印刷が実行されるたびに、ＣＰＵ101により更新される。
【００３３】
エコレポート推奨通知時刻261は、エコレポートを印刷するようにユーザに通知してよい時刻情報を保存している。ＣＰＵ101は、エコレポート推奨通知時刻261に保存されている時刻を経過してユーザに上記通知を行った後には、エコレポート推奨通知時刻261の時刻情報を、次の推奨通知時刻情報に更新する。
エコレポート最終印刷日時262は、エコレポートを最後に印刷した日時情報を保存している。
なお、図示しないが、ＲＡＭ103には、上述した情報以外の各種の情報が保存されている。
【００３４】
本実施例では、印刷装置100で出力さるレポートの一例をとして「エコレポート」を用いて説明する。しかし、印刷装置100で出力さるレポートはエコレポートに限定されるものではなく、いかなるレポートであってもよい。
【００３５】
図３は、本実施例で印刷するエコレポートの構成の一例を示す図である。
図３に示すように、本実施例のエコレポートは、タイトル部301、用紙節約部（302〜307）、電力節約部（308〜310）を有する。
【００３６】
用紙節約部は、用紙節約タイトル302、現在の印刷使用状況を記載する部分303、さらに用紙節約を高めるための提案を記載する用紙節約提案部307を有する。
現在の印刷使用状況を記載する部分303では、コピー、ＰＣからのプリント、ファクスのジョブごとに、総出力枚数304、両面出力枚数305、ページ集約出力枚数306の枚数と割合が記載されている。なお、ページ集約とは、２枚の原稿を１枚にまとめて印刷する2on1と、４枚の原稿を１枚にまとめて印刷する4on1を合わせたものである。
【００３７】
電力節約部は、電力節約タイトル308、現在の電力使用状況を記載する部分309、さらに電力節約を高めるための提案を記載する電力節約提案部310を有する。
現在の電力使用状況を記載する部分309では、現在の電力使用量と電力節約提案部310に記載されている設定を実施した場合の電力使用量の試算結果が記載されている。
【００３８】
図４は、本実施例のエコレポート印刷処理の一例を説明するフローチャートである。なお、図４及び後述する図５〜図８に示すフローチャートの処理は、ＣＰＵ101がＲＯＭ102に記憶されるプログラムを実行することにより実現される。
【００３９】
本実施例では、エコレポート印刷処理は、例えば、ユーザが操作パネル104の操作によってレポート印刷メニューの中のエコレポート印刷を選択した場合に、ＣＰＵ101により実行される。
【００４０】
ＣＰＵ101は、エコレポート印刷処理を開始すると、まず、S401において、エコレポートのレイアウト作成処理を行う。なお、レイアウト作成処理（S401）の詳細は、後述する図５で説明する。また、エコレポートのレイアウトは、例えば図３のようなレイアウトとなる。
【００４１】
次に、S402において、ＣＰＵ101は、上記S401で作成したレポートレイアウトをプリンタ部108から印刷するように制御する。
続いて、S403において、ＣＰＵ101は、エコレポートを印刷した日時情報を、ＲＡＭ103のエコレポート最終印刷日時262に保存して、本フローチャートの処理を終了する。
【００４２】
本実施例では、エコレポートの印刷は、上記で説明したレポート印刷メニューの中での指定による起動だけでなく、後述するエコレポート印刷を促す通知処理の中からの印刷も可能な構成になっている。
【００４３】
図５は、エコレポートレイアウト作成処理（S402）の一例を示すフローチャートである。
ＣＰＵ101は、S501において、エコレポートのタイトル部301を作成する。具体的には、ＣＰＵ101は、ＲＯＭ102に保存されているタイトル部の情報（不図示）をフォントデータに展開して、ＲＡＭ103に確保したエコレポート出力用エリアの規定の位置へ保存する。
【００４４】
また、S502において、ＣＰＵ101は、エコレポートの用紙節約タイトル302を作成する。これも、ＣＰＵ101が、ＲＯＭ102に保存されている用紙節約タイトル部の情報（不図示）をフォントデータに展開して、ＲＡＭ103に確保したエコレポート出力用エリアの規定の位置へ保存する。
【００４５】
また、S503において、ＣＰＵ101は、印刷使用状況を記載する部分303に記載する印刷枚数を計算する。例えば、「コピー」における総出力枚数304であれば、ＣＰＵ101は、ＲＡＭ103の総コピー枚数213の情報をそのまま使用する。コピーにおける両面出力枚数であれば、ＣＰＵ101は、ＲＡＭ103の総両面コピー枚数251の情報をそのまま使用する。使用割合であれば、ＣＰＵ101は、総両面コピー枚数251を総コピー枚数213で割ることで求める。コピーにおけるページ集約出力枚数306であれば、ＣＰＵ101は、2on1の片面コピー枚数231、両面コピー枚数232、4on1の片面コピー枚数241、両面コピー枚数242の和で求める。また、コピーにおけるページ集約出力枚数の割合であれば、ＣＰＵ101は、上述したページ集約出力枚数306の算出結果を総コピー枚数213で割ることで求める。ＣＰＵ101は、このような作業を「ＰＣプリント」、「ファクス」に対しても同様に行うことで、エコレポートに必要な使用状況が計算する。
【００４６】
また、S504において、ＣＰＵ101は、現在の印刷使用状況を記載する部分303を作成する。ＣＰＵ101は、現在の印刷使用状況を記載する部分303に記載される表のフォーマットや、表示するテキストの情報を、ＲＯＭ102に保存されているフォントデータに展開し、ＲＡＭ103のエコレポート出力用エリアの規定の位置に保存する。また、ＣＰＵ101は、印刷枚数や割合などの情報を、上記S503で計算した結果データを基にフォント展開して、ＲＡＭ103のエコレポート出力用エリアの規定の位置に保存する。
【００４７】
また、S505において、ＣＰＵ101は、用紙節約提案部307を作成する。具体的には、ＣＰＵ101は、ＲＯＭ102に保存されている用紙節約提案部の情報をフォントデータに展開して、ＲＡＭ103に確保したエコレポート出力用エリアの規定の位置へ保存する。
【００４８】
また、S506において、ＣＰＵ101は、エコレポートの電力節約タイトル308を作成する。具体的には、ＣＰＵ101は、ＲＯＭ102に保存されている電力節約タイトル部の情報をフォントデータに展開して、ＲＡＭ103に確保したエコレポート出力用エリアの規定の位置へ保存する。
【００４９】
また、S507において、ＣＰＵ101は、電力使用状況を記載する部分309に記載する電力使用量を計算する。また、ＣＰＵ101は、電力節約の提案を実施した場合の電力使用量を試算する。
【００５０】
また、S508において、ＣＰＵ101は、電力使用状況を記載する部分309を作成する。ＣＰＵ101は、電力使用状況を記載する部分309に記載される表のフォーマットや、表示するテキストの情報を、ＲＯＭ102に保存されているフォントデータに展開し、ＲＡＭ103のエコレポート出力用エリアの規定の位置に保存する。ＣＰＵ101は、電力量について、計算した結果データをもとにフォント展開して、ＲＡＭ103のエコレポート出力用エリアの規定の位置に保存する。
【００５１】
また、S509において、ＣＰＵ101は、電力節約提案部310を作成する。具体的には、ＣＰＵ101は、ＲＯＭ102に保存されている電力節約提案部の情報をフォントデータに展開して、ＲＡＭ103に確保したエコレポート出力用エリアの規定の位置へ保存する。
【００５２】
図６は、本実施例において印刷装置100の電源ＯＮ時のエコレポート推奨通知に関する処理の一例を示すフローチャートである。
S601において、ＣＰＵ101は、電源ＯＮが工場出荷後の最初の電源ＯＮかどうかを判定する。工場出荷後の最初の電源ＯＮかどうかの情報は、ＲＡＭ103内の装置情報（不図示）に基づいて判定可能な構成になっている。
上記S601において、ＣＰＵ101は、工場出荷後の電源ＯＮでないと判定した場合（SでNoの場合）、S603に処理を進める。
【００５３】
一方、上記S601において、ＣＰＵ101は、工場出荷後の最初の電源ＯＮであると判定した場合（S601でYesの場合）、S602に処理を進める。
S602において、ＣＰＵ101は、エコレポート推奨通知時刻を計算して、ＲＡＭ103のエコレポート推奨通知時刻261に保存する。印刷装置100において、エコレポート推奨通知を行うタイミングは、ＲＯＭ102のプログラム内で予め決められていてもよいし、管理者等が設定可能な構成であってもよい。例えば、毎月20日の午前9時と決められている場合には、ＣＰＵ101は、現在時刻情報から次に来る20日の午前9時をエコレポート推奨通知時刻と決定する。S602の処理の後、ＣＰＵ101は、S603に処理を進める。
【００５４】
S603において、ＣＰＵ101は、エコレポート推奨通知時刻を過ぎたかどうかを判定する。ＣＰＵ101は、エコレポート推奨通知時刻を過ぎていないと判定した場合（S603でNoの場合）、本フローチャートの処理を終了する。
一方、S603において、ＣＰＵ101は、エコレポート推奨通知時刻を過ぎていると判定した場合（S603でYesの場合）、S604に処理を進める。
【００５５】
S604において、ＣＰＵ101は、一定期間エコレポートが未印刷かどうかを判定する。具体的には、ＣＰＵ101は、現在時刻とＲＡＭ103のエコレポート最終印刷日時262の情報を比較して、ＲＯＭ102に有している日数スレショルド（非図示）以上に差があいている場合には「未印刷」と判定する。一方、日数スレショルド（非図示）以上に差があいていない場合には「未印刷」でない（印刷済み）と判定する。
【００５６】
上記S604において、ＣＰＵ101は、一定期間エコレポートが未印刷でない（印刷済み）と判定した場合（S604でNoの場合）、本フローチャートの処理を終了する。これは、一定期間内にエコレポートを印刷しているので、通知する必要がないと考えられるからである。
【００５７】
一方、上記S604において、ＣＰＵ101は、一定期間エコレポートが未印刷であると判定した場合（S604でYesの場合）、S605に処理を進める。
S605において、ＣＰＵ101は、エコレポート印刷を促す通知処理を行う。なお、エコレポート印刷を促す通知処理（S605）の詳細は後述する図８で説明する。
【００５８】
以上のように、電源ＯＮ時にエコレポート推奨通知時刻の経過を確認し、一定期間のエコレポート印刷がない場合、エコレポート印刷を促す通知を表示する処理を実行することができる。
【００５９】
図７は、本実施例において印刷装置100の節電復帰時のエコレポート推奨通知に関する処理の一例を示すフローチャートである。
S701において、ＣＰＵ101は、節電状態から通常電力状態に復帰する理由が節電キー押下であるかどうかを判定する。印刷装置100には節電から復帰する条件が様々あり、例えばＰＣからのプリントジョブ受信時、ＦＡＸ着信時、操作パネル104上に配置された節電キー押下時等がある。本実施例では、ユーザが確実に印刷装置100の前にいると考えられる節電キー押下時に、エコレポート印刷を促す通知を表示さる構成である。
【００６０】
上記S701において、ＣＰＵ101は、節電から復帰する理由が節電キー押下でないと判定した場合（S701でNoの場合）、本フローチャートの処理を終了する。
一方、上記S701において、ＣＰＵ101は、節電から復帰する理由が節電キー押下であると判定した場合（S701でYesの場合）、S702に処理を進める。
【００６１】
以下、S702〜S704の処理は、図６のS603〜S605の処理と同一の処理であるので説明を省略する。
【００６２】
以上のように、印刷装置が節電から復帰するときに、復帰する要因が節電キー押下であった場合、ユーザが印刷装置の前にいると判断する。このとき、エコレポート推奨通知時刻の経過を確認し、一定期間のエコレポート印刷がない場合、エコレポート印刷を促す通知を表示する処理を実行することができる。
【００６３】
上記図６では電源ＯＮ時、図７では節電キー押下による節電復帰時に、エコレポート印刷を促す通知処理（図８）を実行する構成について説明した。しかし、エコレポート印刷を促す通知処理（図８）を実行するタイミングは、これらに限定されるものではない。その他、印刷装置100の前にユーザが居ると判断されるタイミングに、エコレポート印刷を推奨する時刻の経過を確認し、エコレポート印刷を促す通知処理（図８）を実行するようにしてもよい。なお、印刷装置100の前にユーザが居ると判断されるタイミングとは、例えば、操作パネル104が操作されているとき、ＡＤＦやスキャナ部107で原稿のセットを検知したとき、コピー処理やスキャン処理の実行中又は実行直後等を含む。
【００６４】
図８は、本実施例におけるエコレポート印刷を促す通知処理（S605，S704）の一例を示すフローチャートである。
【００６５】
S801において、ＣＰＵ101は、印刷装置100が印刷可能な状態であるか否かを判定する。ＣＰＵ101は、図示しない各種センサ等からの情報等に基づいて印刷装置100のステータスを管理しており、該管理されるステータスに基づいて印刷可能な状態であるか否かを判定する。なお、印刷不可能な状態には、用紙等の印刷媒体切れ、トナーやインク等の印刷剤切れ、印刷機能の故障等が含まれる。ＣＰＵ101は、印刷装置100が印刷可能な状態でないと判定した場合（S801でNoの場合）、S802に処理を進める。
S802において、ＣＰＵ101は、ＲＡＭ103に記憶されている印刷装置100の状態（上述したステータス）を更新する処理を行い、再度S801に処理を戻す。
【００６６】
一方、上記S801において、ＣＰＵ101は、印刷装置100が印刷可能な状態であると判定した場合（S801でYesの場合）、S803に処理を進める。
S803において、ＣＰＵ101は、エコレポート印刷を促す画面を操作パネル104の表示部105に表示するように制御する。ここで図１０、図１１を用いて、エコレポート印刷を促す画面（エコレポート通知画面）について説明する。
【００６７】
〔エコレポート通知画面〕
図１０は、エコレポート印刷を促す画面の一例を示す図である。
図１０において、画面1901では、エコレポートの印刷を進める文言1902と、エコレポートを印刷する操作（図１０の例では「リセットキーの長押し」）を説明する文言1903が表示され、ユーザに通知される。
【００６８】
なお、上記通知（エコレポート印刷を促す通知等）は図１０に示したような画面に限定されるものではない。例えば、操作画面の上部や下部等に設けられたステータス表示欄に、上記通知のメッセージを表示する構成でもよい。この場合、上記通知とエラーステータスメッセージとをトグル表示（交互に切り替えて表示）するようにしてもよい。またこの場合、ＣＰＵ101は、エラーメッセージが全て消えた後、所定時間、上記通知を表示するようにしてもよい。以下、図１１を用いて説明する。
【００６９】
図１１は、エコレポート印刷を促す画面の他の例を説明する図である。
図１１に示す例では、エコレポート通知を操作パネル104に表示した状態で、ユーザは他の指示を行うべく操作パネル104を操作することができる。つまり、この通知は、ユーザによる操作パネル104の操作を妨げない。
【００７０】
図１１（ａ）はユーザ選択画面を示す図である。図１１（ｂ）はパスワード入力画面を示す図である。図１１（ｃ）は機能選択画面を示す図である。図１１（ｄ）は印刷指示画面を示す図である。
【００７１】
印刷装置100がシャットダウン状態から起動した場合、または、節電ボタンの押下によりスリープ状態から復帰した場合、タッチパネル901が点灯し、ユーザ選択画面1010が表示される。すなわち、タッチパネル901は、画面を表示不可能（表示不能）な状態から表示可能な状態へと移行処理を行う。
【００７２】
選択画面1010は、操作パネル104を操作する操作ユーザを認証するための画面（ログイン領域、ユーザ選択領域）である。選択画面1010には、予め登録されたユーザ情報に基づき、ユーザアイコン1011、1012、1013が配置されている。ユーザアイコン1011、1012、1013のいずれかが選択されると、図１１（ｂ）に示すように、タッチパネル901にはパスワード入力画面1020が表示される。
【００７３】
入力画面1020は、ユーザにパスワードの入力を促す画面（ログイン領域、パスワード入力領域）である。入力画面1020には、パスワードを入力するための入力フォーム1021と、ＯＫボタン1022が配置されている。入力フォーム1021にパスワードが入力され、ＯＫボタン1022が選択されると、認証処理が開始される。認証処理において、ＣＰＵ101は、選択されたユーザアイコンと入力されたパスワードの組み合わせを、ＲＡＭ103に予め記憶された認証情報と照合する。このとき、ＣＰＵ101は認証手段として機能する。認証が失敗するとタッチパネル901には入力画面1020が再び表示され、認証が成功すると、タッチパネル901には機能選択画面1030が表示される。
【００７４】
選択画面1030は、印刷装置100が実行可能な機能から使用したい機能を選択する画面（選択領域）である。本実施例の印刷装置100は、スキャナ部107とプリンタ部108を有しており、コピー機能とスキャン機能とプリント機能を使用可能である。選択画面1030には、コピー機能選択ボタン1031と、スキャン機能選択ボタン1032と、プリント機能選択ボタン1033が配置されている。
【００７５】
機能選択画面1030において、いずれかの機能ボタンが選択されると、タッチパネル901には機能画面が表示される、具体的に述べると、プリント機能選択ボタン1033が選択されると、プリント指示画面1040が表示される。コピー機能選択ボタン1031が選択されるとコピー指示画面1100が表示される。スキャン機能選択ボタン1032が選択されるとスキャン指示画面1110が表示される。
【００７６】
指示画面1040は、プリント（印刷処理）の実行指示を行うための画面（指示領域）である。指示画面1040には、認証されたユーザに関連する印刷ジョブのリスト1042と、印刷実行ボタン1041が配置されている。これらの印刷ジョブは、ユーザが操作するＰＣ（外部情報端末）からネットワークを介して送信されてくる。ユーザは、操作パネル104を操作して、リスト1042の中からジョブを選択し、実行ボタン1041を選択することで印刷装置100に印刷指示を行うことができる。また、ユーザは、操作パネル104を操作して、リスト1042の中からジョブを選択し、スタートキー903を選択することで印刷装置100に印刷指示を行うことができる。
【００７７】
なお、選択画面1010、入力画面1020、選択画面1030、指示画面1040の表示中において、後述する条件を満たしていれば、エコレポート通知画面1000が表示される。以後の説明では機能画面を代表して指示画面1040を用いる。
【００７８】
通知画面1000はエコレポートの印刷を促すための画面（通知領域）である。通知画面1000には、エコレポートの実行を促す文面とレポート実行ボタン1001が配置されている。通知画面1000は、選択画面1010、入力画面1020、選択画面1030、指示画面1040等の主画面の一部領域に対してオーバーラップ（重ね合わせ処理）して表示される副画面である。つまり、タッチパネル901は、通知画面1000と主画面の両方が同時に表示された状態となる。なお、主画面に通知画面1000をオーバーラップさせると、主画面の情報が確認し難い場合がある。特に、プリント指示画面1040のような機能画面では表示する情報量が多く、一部の情報が隠れてしまう場合がある。そこで、通知画面1000が表示されない指示画面（不図示）と、通知画面1000が表示され指示画面1040とを、交互に表示させてもよい。すなわち、このとき、通知画面1000は明滅する状態となる。このような構成によりタッチパネル901の表示可能な画面領域が狭い場合であっても通知画面1000を表示することができる。また、通知画面1000を主画面にオーバーラップさせずに、主画面にと並列して表示させてもよい。この場合、通知画面1000が表示されているときは主画面の表示領域が狭くなるため、主画面を縮小して表示するとよい。
【００７９】
ユーザが実行ボタン1001を選択するかリセットキー902を長押しする（所定時間押し続ける）と、エコレポートの印刷が開始される。すなわち、指示画面1040及び通知画面1000の表示中にスタートキー903が押下されると、ユーザによって入力された印刷ジョブの印刷処理が実行される。一方、指示画面1040及び通知画面1000の表示中にリセットキー902が押下されると、エコレポートの印刷処理が実行される。このように異なる物理キーが割り当てることでユーザの操作ミスを抑制できる。また、本実施例では、実行ボタン1001に「レポート」という名称を表記し、印刷実行ボタン1041に「印刷」という名称を表記している。このように、表記名を異ならせることで、ユーザの操作ミスを抑制することができる。
【００８０】
なお、実行ボタン1001の選択またはリセットキー902の長押しにともない、タッチパネル901にエコレポートの印刷を確認する確認画面（不図示）を表示させてもよい。この場合、表示された確認画面（不図示）において、承認ボタン（不図示）が選択されることでエコレポートの印刷が開始される。一方、非承認ボタン（不図示）が選択された場合は、エコレポートの印刷は開始されない。なお、非承認ボタンの選択に伴い、通知画面1000を非表示にしてもよい。また、上述のような確認画面を表示しないことで、エコレポート印刷の応答性を向上させることができる。一方、確認画面を表示することで、誤タッチによるエコレポートの誤印刷を抑制できる。
【００８１】
以下、図８のフローチャートの説明に戻る。
次に、S804において、ＣＰＵ101は、操作パネル104からのキー入力があったか否かを判定する。ＣＰＵ101は、操作パネル104からのキー入力がないと判定した場合（S804でNoの場合）、S805に処理を進める。
【００８２】
S805において、ＣＰＵ101は、上記S803でエコレポート印刷を促す画面を表示してから一定の表示時間が経過したか否かを判定する。なお、エコレポート印刷を促す画面を表示する時間はＲＯＭ102内のプログラムで予め決められていてもよいし、管理者等が設定可能な構成でもよい。
【００８３】
上記S805において、ＣＰＵ101は、上記S803でエコレポート印刷を促す画面を表示してから未だ一定の表示時間が経過していないと判定した場合（S805でNoの場合）、上記S804に処理を戻す。
【００８４】
一方、上記S805において、ＣＰＵ101は、上記S803でエコレポート印刷を促す画面を表示してから一定の表示時間が経過したと判定した場合（S805でYesの場合）、S806に処理を進める。
S806において、ＣＰＵ101は、エコレポート印刷を促す画面1901を表示部105上から削除し、S807に処理を進める。S807の処理については後述する。
【００８５】
また、上記S804において、ＣＰＵ101は、操作パネル104からのキー入力があったと判定した場合（S804でYesの場合）、S808に処理を進める。
【００８６】
S808において、ＣＰＵ101は、操作パネル104から入力されたキーがエコレポート印刷を指示するキーであったか否かを判定する。図１０又は図１１に示したエコレポート印刷を促す画面の例では、該画面が表示部105に表示されている場合、リセットキー902の長押し又はレポート実行ボタン1001がエコレポート印刷を指示するキーである。この場合、ＣＰＵ101は、リセットキー902の長押し又はレポート実行ボタン1001の押下があったか否かを判定する。
【００８７】
上記S808において、ＣＰＵ101は、操作パネル104から入力されたキーがエコレポート印刷を指示するキーでなかったと判定した場合（S808でNoの場合）、S810に処理を進める。
S810において、ＣＰＵ101は、入力されたキーに対応した処理を実施し、上記S803に処理を戻し、エコレポート印刷を促す画面を操作パネル104の表示部105に表示するように制御する。
【００８８】
一方、上記S808において、ＣＰＵ101は、操作パネル104から入力されたキーがエコレポート印刷を指示するキーであったと判定した場合（S808でYesの場合）、S809に処理を進める。
S809において、ＣＰＵ101は、図４に示したエコレポート印刷処理を行う。エコレポート印刷処理の終了後、ＣＰＵ101は、S807に処理を進める。
【００８９】
S807において、ＣＰＵ101は、次のエコレポート推奨通知時刻を計算して、ＲＡＭ103のエコレポート推奨通知時刻261に保存（セット）する。上述したように、エコレポート推奨通知を行うタイミングは、例えば、ＲＯＭ102のプログラム内で決められている。仮に、毎月20日の午前9時と決まっている場合は、ＣＰＵ101は、現在時刻情報から次に来る20日の午前9時をエコレポート推奨通知時刻と決定し、セットする。ＣＰＵ101は、エコレポート推奨通知時刻261を更新したら、本フローチャートの処理を終了する。
【００９０】
以上示したように、ユーザが確実に装置の前にいる時にエコレポート印刷を推奨する通知を行えるとともに、ユーザにメッセージを確実に伝えることが可能となる。その結果、エコレポート印刷の有効な使用を促進することができる。また、対応不可能なメッセージ表示によりユーザに煩わしさを与えてしまうことの防止と、メッセージを確実にユーザに伝えることの双方をバランス良く両立することができる。
【００９１】
図８では、印刷装置100が印刷可能な状態の場合に図１０又は図１１のような通知を表示部105に表示するが、印刷不可能な状態では該通知を表示しない構成について説明した。しかし、図１０又は図１１のような通知が表示されている状態で印刷装置100が印刷可能な状態に遷移した場合には、ＣＰＵ101は、該通知を消去するようにしてもよい。また、ＣＰＵ101は、該通知がされてから一定時間経過した場合に、該通知を消去するようにしてもよい。これら通知を消去した場合には、ＣＰＵ101は、該通知が表示された際に図８のS807で更新されたエコレポート推奨通知時刻を、更新前の日時に戻すようにしてもよい。これにより、印刷装置100が印刷可能な状態に復帰した場合に、すみやかに、上記通知を再表示することが可能となる。
【００９２】
以上のように、印刷装置100では、電源ＯＮ時及び節電キー押下による節電復帰時などに、レポート印刷を推奨する条件を満たす場合、印刷が可能な場合には、レポート印刷をユーザに促す通知を表示する。一方、印刷が不可能な場合には、該通知を表示しないように制御する。このような構成により、ユーザが確実に装置の前にいてレポート印刷可能なタイミングでレポート印刷を推奨する通知を行うことができる。これにより、ユーザにメッセージを確実に伝えることが可能となり、レポート印刷を有効に使用してもらうことができる。また、一定時間経過後等に通知を非表示にする機能により通知が非表示になった場合などでも、電源ＯＮ時や節電キー押下による節電復帰時などに、通知内容をユーザに確実に伝えることができ、ユーザがレポートの確認を失念してしまうことを防止できる。
【００９３】
また、上記実施例では、レポート印刷を推奨する通知の表示について説明したが、レポート印刷を推奨する通知以外の、ユーザに処理の実行を促す通知についても、本発明を適用可能である。この場合、ＣＰＵ101は、電源ＯＮ時及び節電キー押下による節電復帰時などに、通知条件を満たす通知がある場合、該通知でユーザに促した処理を行うための機能が使用可能な場合には、該通知を行うように制御する。一方、該機能が使用不可能な場合には、該通知を行わないように制御する。すなわち、ＣＰＵ101は、第1の条件（例えばS603及びS604に示す条件等）を満たしても、第２の条件（印刷できる状態等）を満たしていなければ、ユーザに処理（例えばレポート印刷）の実行を促す通知を行わないように制御する。このような構成により、対応不可能な通知によりユーザに煩わしさを与えてしまうことを防止しつつ、通知の内容を確実にユーザに伝えることができる。
【００９４】
なお、上述した各種データの構成及びその内容はこれに限定されるものではなく、用途や目的に応じて、様々な構成や内容で構成されていてもよい。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００９５】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００９６】
100    印刷装置
101    ＣＰＵ
102    ＲＯＭ
103    ＲＡＭ
105    表示部
108    プリンタ部
【図１】
2018192635.tif 000003
【図２】
2018192635.tif 000004
【図３】
2018192635.tif 000005
【図４】
2018192635.tif 000006
【図５】
2018192635.tif 000007
【図６】
2018192635.tif 000008
【図７】
2018192635.tif 000009
【図８】
2018192635.tif 000010
【図９】
2018192635.tif 000011
【図１０】
2018192635.tif 000012
【図１１】
2018192635.tif 000013